(57)【要約】      （修正有）【課題】少人数でも重い対象機器を天井に設置できるやぐら機構を提供する。【解決手段】やぐら機構は、柱部材と、柱部材の上部に架け渡された横架部材と、横架部材同士あるいは横架部材および柱部材の上部に架渡された中央部材とを有する、移動可能なやぐら１００と、中央部材の中央位置に装着され、対象機器１０を吊り上げるホイスト１４と、対象機器を上昇させる、移動可能な揚重機と、対象機器を載置し、移動可能な台車１５とを備える。【選択図】図９
0003229947.tif 000002
【実用新案登録請求の範囲】
【請求項１】
柱部材と、前記柱部材の上部に架け渡された横架部材と、前記横架部材同士あるいは前記横架部材および前記柱部材の上部に架渡された中央部材とを有する、移動可能なやぐらと、
前記中央部材の中央位置に装着され、対象機器を吊り上げるホイストと、
前記対象機器を上昇させる、移動可能な揚重機と、
前記対象機器を載置し、移動可能な台車と、
を備えたことを特徴とする、やぐら機構。
【請求項２】
前記対象機器は、天吊り機器である、請求項１記載のやぐら機構。
【請求項３】
前記天吊り機器は空調機器である、請求項２記載のやぐら機構。
【請求項４】
前記対象機器は、ほぼ直方体形状をしており、そのほぼ矩形状の上面に対して、斜めに渡って吊り下げ用フレームが固定されており、
前記吊り下げ用フレームの中央位置に、前記ホイストの吊り下げワイヤーと連結可能な吊り下げ用部位が設けられている、請求項１記載のやぐら機構。
【考案の詳細な説明】
【技術分野】
【０００１】
本考案は、やぐら機構に関する。
【背景技術】
【０００２】
従来、天井にアンカーで空調機器などを設置する場合、次のような作業手順でなされているのが通例である。ここに、図１は空調機器を天井に取り付け終わった状態を示す斜視図である。ここに１はダクト、２は空調機器、３はダクト吊りアンカー、４は空調機器吊りアンカーである。
【０００３】
すなわち、簡単に説明すると、
１、機器搬入・横引き
→２、フィルターBOX取付け
→３、梱包材片付け
→４、機器アンカー打設（吊りボルト４本）
→５、機器据付
→６、振れ止め施工
→７、ダクト搬入
→８、ダクト取付
→９、ダクト吊用アンカー打設
→１０、ダクト吊ボルト施工の順で天井に空調機器などの施工を行っている。
【０００４】
しかし、そのような施工方法では、多くの工程が天井付近での高所作業であり、また、何回もの持ち上げ作業であり危険が伴う。さらには業者ごとに施工しているため個々でばらつきがあり施工の統一が出来ていない問題がある。
【０００５】
そこで、予め、ダクトと機器を地面上で組み立てて置き、それを揚重機に乗せた上で天井まで持ち上げ、作業をすることで個々の部品ごとに持ち上げる手間を省くやり方も行われている（例えば、特許文献１参照）。
【先行技術文献】
【特許文献】
【０００６】
【特許文献１】特開平６−１４７６２２
【考案の概要】
【考案が解決しようとする課題】
【０００７】
しかしながら、従来のそのような方法では、地面上でダクトと機器を一体に組み立てたものを揚重機の上に乗せる必要があるが、その重量はダクトだけ、あるいは機器だけを乗せる場合に比べて非常に重い重量となる。
【０００８】
そのため、個々の部材や機器を個別に揚重機の乗せ台に乗せる場合は、揚重機の乗せ台の高さが１ｍ程度あるとしても例えば二人で十分であるところ、組み立てて一体化したものは非常に重いので例えば四人がかりでないと揚重機の乗せ台に乗せることが出来ないという課題があった。
【０００９】
本考案は、上記従来のこのような課題に鑑みて、組み立てて一体化した重量の重い機器でも、少ない人手で揚重機に乗せることが出来る、やぐら機構を提供することを目的とする。
【課題を解決するための手段】
【００１０】
第１の本考案は、
柱部材と、前記柱部材の上部に架け渡された横架部材と、前記横架部材同士あるいは前記横架部材および前記柱部材の上部に架渡された中央部材とを有する、移動可能なやぐらと、
前記中央部材の中央位置に装着され、対象機器を吊り上げるホイストと、
前記対象機器を上昇させる、移動可能な揚重機と、
前記対象機器を載置し、移動可能な台車と、
を備えたことを特徴とする、やぐら機構である。
【００１１】
これによって、少人数で重い対象機器を持ち上げることが出来る。
【００１２】
第２の本考案は、
前記対象機器は、天吊り機器である、第１の本考案のやぐら機構である。
【００１３】
これによって、少人数で天吊り機器を天井付近まで持ち上げることが出来る。
【００１４】
第３の本考案は、
前記天吊り機器は空調機器である、第２の本考案のやぐら機構である。
【００１５】
これによって、少人数で空調機器を天井付近まで持ち上げることが出来る。
【００１６】
第４の本考案は、
前記対象機器は、ほぼ直方体形状をしており、そのほぼ矩形状の上面に対して、斜めに渡って吊り下げ用フレームが固定されており、
前記吊り下げ用フレームの中央位置に、前記ホイストの吊り下げワイヤーと連結可能な吊り下げ用部位が設けられている、第１の本考案のやぐら機構である。
【００１７】
これによって、重い対象機器であっても、バランスよく持ち上げることが出来る。
【考案の効果】
【００１８】
本考案によれば、少ない人数で、予め組み立てて一体化した対象機器を揚重機の上に乗せることが出来るやぐら機構を提供することが出来る。
【００１９】
その結果、省力化・省人化が実現できる。
【００２０】
また、個別に天井まで持ち上げる工法に比べて、施工効率があがり工数を大幅に低減が可能となる。
【００２１】
また、重量物を少人数で持ち上げる場合に比べて危険性を低くすることが出来る。
【図面の簡単な説明】
【００２２】
【図１】従来の天井における空調機器などの取り付け状態を示す斜視図
【図２】本考案の実施の形態にかかるやぐら機構のやぐらの略示斜視図
【図３】同やぐら機構の電動ホイストの斜視図
【図４】同やぐら機構における吊り下げの対象となる対象機器の平面図
【図５】（Ａ）、（Ｂ）同やぐら機構における吊り下げの対象となる別の対象機器の平面図
【図６】同やぐら機構における台車の斜視図
【図７】同やぐら機構における揚重機の使用状態を示す斜視図
【図８】（Ａ）、（Ｂ）同やぐら機構における使用方法を示す略示正面図
【図９】（Ａ）、（Ｂ）同やぐら機構における使用方法を示す略示正面図
【図１０】同やぐら機構における使用方法を示す略示正面図
【図１１】同やぐら機構における使用方法を示す略示正面図
【考案を実施するための形態】
【００２３】
以下に、本考案のやぐら機構の実施の形態について、図面を用いて説明する。
【００２４】
図２は、本考案の実施の形態にかかるやぐら機構のやぐら１００の斜視図である。通常単管やぐらと呼ばれるタイプのやぐらである。
【００２５】
ここに、５ａ，５ｂ，５ｃ，５ｄは４本の柱部材５であり、６ａ、６ｂ、６ｃ、６ｄは横架部材６であり、７は中央部材、８ａ，８ｂ，８ｃ，８ｄ、８ｅ、８ｆは補強部材８である。
【００２６】
このやぐら１００は４本の柱部材５ａ，５ｂ，５ｃ，５ｄによってほぼ直方体の空間を形成しており、横架部材６ａ，６ｂ、６ｃ、６ｄはその柱部材５ａ，５ｂ，５ｃ，５ｄの上部同士に横方向に架設されている。中央部材７はその上方にある対向する２つの横架部材６ａ、６ｃ同士に架設されている。
【００２７】
従って、中央部材７は４本の柱部材５ａ，５ｂ，５ｃ，５ｄで囲まれた空間の上方の空間の中心を通っている。
【００２８】
なお補強部材８ａ，８ｂ，８ｃ，８ｄ、８ｅ、８ｆは少なくとも柱部材５ａ，５ｂ，５ｃ，５ｄで囲まれた空間の一方側だけは開けた状態になるように柱部材５ａ，５ｂ，５ｃ，５ｄにそれぞれ取り付けられている。その開いた場所が後述する台車や揚重機の出入りする出入口Ｓとなる。
【００２９】
また、柱部材５ａ，５ｂ，５ｃ，５ｄの下部にはやぐら１００が地面の上を移動可能なように車輪９ａ、９ｂ、９ｃ、９ｄが装着されている。なお、単管やぐらは単管なので組立が容易であり、現地組み立てや解体が容易にできる特徴がある。
【００３０】
図３は上述した中央部材７に取り付けられる電動ホイスト１４である。１４ａは上記中央部材７の中央位置７ａに連結される連結部であり、１４ｂは後述する吊り上げ対象となる機器に連結する連結部である。１４ｃは操作のためのリモコンである。
【００３１】
図４は、ダクトと空調機器とを組み立て一体化された、天井にアンカー吊り下げの対象となる対象機器１０の平面図である。１１は左右のダクト、１２は空調機器である。この対象機器１０はほぼ直方体をしており、そのほぼ矩形状の上面１０ａに後に説明する吊り下げ用フレーム１３が固定されている。
【００３２】
図６は台車の斜視図である。この台車１５の上に上記対象機器１０が乗せられる。この台車１５の高さはせいぜい１０ｃｍ程度であるから、重い対象機器１０の場合でも二人程度で乗せることは容易である。
【００３３】
図７は揚重機１６の斜視図である。作業員がリモコンを用いて、ロッド１６ａを上方に伸ばして、対象機器１０を天井付近まで上昇させている図である。１６ｂは揚重機１６の乗せ台である。ロッド１６ａを下方へ縮めると、その乗せ台１６ｂは地面からほぼ１ｍ程度の位置に収まる。
【００３４】
次に、本考案の実施の形態にかかるやぐら機構の利用方法を説明する。
【００３５】
先ず、図８（Ａ）に示すように、やぐら１００を用意し、中央部材７に電動ホイスト１４を吊り下げる。Ｇは地面である。
【００３６】
他方、図８（Ｂ）に示すように、台車１５の上に、ダクト１１と機器１２が一体に組み立てられた対象機器１０を二人に作業員で乗せる。台車１５の高さは低いので重量が重くても容易に乗せることが出来る。
【００３７】
次に、図９（Ａ）に示すように、対象機器１０が乗せられた台車１５をやぐら１００の内側に移動させる。そして、電動ホイスト１４のフック１４ｂを対象機器１０の吊り下げ用フレーム１３に連結する。
【００３８】
なお、上述したように、左右のダクト１１，１１、空調機器１２が一体となった対象機器１０はほぼ直方体をしており、そのほぼ矩形状の上面１０ａに吊り下げ用フレーム１３が固定されている（図４参照）。この吊り下げ用フレーム１３はそのほぼ矩形状の上面１０ａに対して、斜めに渡って固定されている。この吊り下げ用フレーム１３は例えば断面Ｌ字鋼で作られている。さらに吊り下げ用フレーム１３の中央位置に、電動ホイスト１４の吊り下げフック１４ｂと連結可能な吊り下げ用部位１３ａ（孔）が設けられている。
【００３９】
このように、吊り下げ用フレーム１３が吊り下げる対象となる対象機器１０の上面１０ａに対して斜めに渡って固定されているので、例えばほぼ対角線上に固定されているので、対象機器１０を持ち上げる際、対象機器１０全体のバランスが、例えば上記ほぼ矩形状の上面１０ａの一辺に平行に固定されている場合に比べて、取りやすくなる。
【００４０】
図５（Ａ）は別の吊り下げ用フレーム１３であって、上記上面１０ａに対して、斜めではなく、Ｉ型をして上面の１０ａの辺に対して平行に設けられている。図５（Ｂ）はさらに別の吊り下げ用フレーム１３であって、Ｈ型をしている。いずれの場合も、その中央の桟の部分の中央位置に吊り下げ用部位１３ａが設けられる。
【００４１】
次に、図９（Ｂ）に示すように、電動ホイスト１４を用いて、対象機器１０を上方へ持ち上げる。その後台車１５をやぐら１００の外へ移動させる。
【００４２】
次に、図１０に示すように、やぐら１００の内側へ、台車１５に代えて揚重機１６を移動させてくる。その後、電動ホイスト１４のフック１４ｂを徐々に下降させ、揚重機１６の乗せ台１６ｂの上に対象機器１０を乗せる。その後、そのフック１４ｂを対象機器１０から外す。
【００４３】
次に、図１１に示すように、やぐら１００を電動ホイスト１４とともに他の場所に移動させて揚重機１６だけにした後、揚重機１６の乗せ台１６ｂを図７のようにリモコン操作によって上昇させて、対象機器１０を天井付近まで持ちあげる。その後アンカーなどを用いて天井に対象機器１０を設置していく。
【００４４】
なお、本考案のやぐらの柱部材の本数は４本に限らない。また横架部材の掛け方も任意である。なお、中央部材はやぐらの上部空間において、中央位置を通る必要がある。電動ホイストをほぼ中心位置に配置することが望ましいからである。
【００４５】
また、本考案のホイストは電動ホイストに限られない。  
【産業上の利用可能性】
【００４６】
本考案のやぐら機構は、少人数で対象機器を天井に持ち上げることが出来るので、空調機器などの天井設置施工に有用である。
【符号の説明】
【００４７】
１  ダクト
２  機器
３、４  アンカー
５（５ａ，５ｂ，５ｃ，５ｄ）  柱部材
６（６ａ、６ｂ、６ｃ、６ｄ）  横架部材
７  中央部材
８（８ａ，８ｂ，８ｃ，８ｄ、８ｅ、８ｆ）  補強部材
９（９ａ、９ｂ、９ｃ、９ｄ）  車輪
１０  対象機器
１１  ダクト
１２  機器
１３  吊り下げ用フレーム
１４  電動ホイスト
１５  台車
１６  揚重機
１００  やぐら
Ｓ  出入り口
Ｇ  地面
【図１】
0003229947.tif 000003
【図２】
0003229947.tif 000004
【図３】
0003229947.tif 000005
【図４】
0003229947.tif 000006
【図５】
0003229947.tif 000007
【図６】
0003229947.tif 000008
【図７】
0003229947.tif 000009
【図８】
0003229947.tif 000010
【図９】
0003229947.tif 000011
【図１０】
0003229947.tif 000012
【図１１】
0003229947.tif 000013